(57)【要約】【課題】仕切部材で仕切られていた空間を行き来する場合の通路の有効開口幅を大きくとることができると共に、スペース効率の高い仕切部材構造と、浴室出入口の有効開口幅を広くとることができ、浴室内のスペース効率も高い浴室用扉構造を得る。【解決手段】扉本体２６に扉長孔２８が形成されると共に、外枠部材２４に外枠長孔３０が形成される。扉長孔２８には軸部材３２が鉛直方向に沿って収容され、軸部材３２の上部及び下部は、上下の外枠長孔３０にそれぞれ収容されている。浴室出入口２０を開放させるには、軸部材３２を中心として矢印Ｒ１方向に扉本体２６を９０度回転させ、次に軸部材３２及び扉本体２６を、矢印Ｍ１方向に移動させる。【選択図】図２
2011089279.tif 000002
【特許請求の範囲】
【請求項１】
仕切部材本体と、
前記仕切部材本体を少なくとも上部で保持する保持部材と、
前記仕切部材本体を前記保持部材に対し鉛直方向の回転中心で回転可能とする回転手段と、
前記仕切部材本体を前記回転手段で回転させながら、前記保持部材に対し保持部材の長手方向に移動可能とする移動手段と、
を有する仕切部材構造。
【請求項２】
請求項１に記載の仕切部材構造を用いた浴室用扉構造であって、
前記保持部材が、浴室出入口の外枠を構成する外枠部材とされ、
前記仕切部材本体が、前記浴室出入口を閉塞可能な扉本体とされ、
前記回転手段が、前記扉本体が前記浴室出入口を閉塞した閉塞状態で前記外枠部材の幅方向一端から他端側へ離れた位置に配置され、前記扉本体を前記外枠部材に対し鉛直方向の回転軸周りに回転可能とする軸部材とされ、
前記移動手段が、前記扉本体が前記閉塞状態から前記回転軸周りに回転した状態で、前記軸部材を前記外枠部材に対し前記幅方向一端側へと移動させる軸移動部材とされる、
浴室用扉構造。
【請求項３】
前記扉本体が前記閉塞状態から前記回転軸周りに所定角度回転した回転済状態では前記軸移動部材による前記軸部材の移動を許容し、回転済状態以外の非回転済状態では移動不能にロックするロック手段、を有する請求項２に記載の浴室用扉構造。
【請求項４】
前記所定角度が９０度とされる請求項３に記載の浴室用扉構造。
【請求項５】
前記軸移動部材が、前記外枠部材に形成され前記軸部材を収容して外枠部材に対し軸部材をスライド可能とする外枠長孔である請求項２〜請求項４のいずれか１項に記載の浴室用扉構造。
【請求項６】
前記扉本体が前記閉塞状態から前記回転軸周りに回転した状態で、前記扉本体を前記軸部材に対し浴室の内部へ移動させる扉移動部材、
を有する請求項２〜請求項５のいずれか１項に記載の浴室用扉構造。
【請求項７】
前記扉移動部材が、前記扉本体に形成され前記軸部材を収容して軸部材に対し扉本体をスライド可能とする扉長孔である請求項６に記載の浴室用扉構造。
【請求項８】
請求項２〜請求項７のいずれか１項に記載の浴室用扉構造と、
前記浴室用扉構造を構成する外枠部材が取り付けられた浴室本体と、
を有する浴室構造。
【発明の詳細な説明】
【技術分野】
【０００１】
本発明は、仕切部材構造、浴室用扉構造及び浴室構造に関し、さらに詳しくは、たとえば板状の仕切部材本体等を用いて空間を仕切る仕切部材構造と、この仕切部材構造を用いた浴室用扉構造、及び、この浴室用扉構造を備えた浴室構造に関する。
【背景技術】
【０００２】
仕切部材構造として、浴室出入口を開閉するための浴室用扉構造を例に挙げる。このような浴室用扉構造としては、いわゆる折戸構造のものがある。たとえば特許文献１には、ヒンジを介して相互に回動自在に連結された一対の折戸障子を備え、折畳まれた際には把手が空間部に収納されることで、有効開口幅を広く取ることができるようにしたものがある。
【０００３】
しかし、このような折戸構造では、折り畳んだ状態で折戸障子２枚が重なり、この厚み分だけ有効開口幅を狭くしてしまう。
【０００４】
また、特許文献２に記載のように、２枚の扉板を畳んだ状態で浴室内に回動させることができるようにしたものがあるが、浴室内における扉板の回動範囲は、他の用途（たとえば、物を置いたり、体を洗ったりするため）のスペースとして利用しづらくなる。
【０００５】
浴室用扉構造に限らず、仕切部材本体で空間を仕切る仕切部材構造においても、仕切部材で仕切られる空間を行き来する場合の通路の有効開口幅を大きくとることができると共に、スペース効率の高い構造が求められる。
【先行技術文献】
【特許文献】
【０００６】
【特許文献１】特開平１０−２６６７１５号公報
【特許文献２】登録実用新案３０５９７４４号公報
【発明の概要】
【発明が解決しようとする課題】
【０００７】
本発明は、上記事実を考慮し、仕切部材で仕切られていた空間を行き来する場合の通路の有効開口幅を広くとることができると共に、スペース効率の高い仕切部材構造と、浴室出入口の有効開口幅を広くとることができ、浴室内のスペース効率も高い浴室用扉構造を得ることを課題とする。
【課題を解決するための手段】
【０００８】
請求項１に記載の発明では、仕切部材本体と、前記仕切部材本体を少なくとも上部で保持する保持部材と、前記仕切部材本体を前記保持部材に対し鉛直方向の回転中心で回転可能とする回転手段と、前記仕切部材本体を前記回転手段で回転させながら、前記保持部材に対し保持部材の長手方向に移動可能とする移動手段と、を有する。
【０００９】
この仕切部材構造では、仕切部材本体が保持部材によって、少なくともその上部で保持されており、空間が仕切部材本体によって仕切られている。この仕切部材本体は、回転手段によって、保持部材に対し鉛直方向の回転中心で回転可能とされる。さらに、仕切部材本体は、回転手段で回転させながら、移動手段により、保持部材に対し保持部材の長手方向に移動可能とされる。すなわち、回転手段と移動手段とによって、仕切部材本体の回転と移動とを組み合わせて行うことが可能となる。このため、たとえば仕切部材本体を、空間を仕切った位置から所定角度回転させ、さらに所定距離移動させることで、仕切部材本体で仕切られていた空間を行き来する場合の通路の有効開口幅を大きくとることができる。また、仕切部材本体の回転と移動とを組み合わせて（たとえば同時に）行うことで、仕切部材本体の移動軌跡（移動に必要な部分の広さ）を小さくすることが可能となるので、スペース効率が高くなる。なお、仕切部材の回転と移動とは、それぞれの開始から終了までが厳密に同時である必要はなく、たとえば、まず回転を行い、その途中から移動を並行して行う構成や、実質的に回転がほぼ終了した状態で移動を行う構成でもよい。
【００１０】
請求項２に記載の発明では、請求項１に記載の仕切部材構造を用いた浴室用扉構造であって、前記保持部材が、浴室出入口の外枠を構成する外枠部材とされ、前記仕切部材本体が、前記浴室出入口を閉塞可能な扉本体とされ、前記回転手段が、前記扉本体が前記浴室出入口を閉塞した閉塞状態で前記外枠部材の幅方向一端から他端側へ離れた位置に配置され、前記扉本体を前記外枠部材に対し鉛直方向の回転軸周りに回転可能とする軸部材とされ、前記移動手段が、前記扉本体が前記閉塞状態から前記回転軸周りに回転した状態で、前記軸部材を前記外枠部材に対し前記幅方向一端側へと移動させる軸移動部材とされる。
【００１１】
この浴室用扉構造では、扉本体が外枠部材に対し軸部材によって回転可能とされている。また、扉本体が浴室出入口を閉塞した閉塞状態では軸部材は外枠部材の幅方向一端から他端側へ離れた位置にあるが、閉塞状態から回転軸周りに回転した状態では、軸部材は、軸移動部材によって、外枠部材に対し幅方向一端側へと移動させることができる。したがって、扉本体の閉塞状態から浴室出入口を開放するには、軸部材を中心として、回転軸周りに回転させ、さらに、軸部材を外枠部材の幅方向一端側へと移動させる。そして、軸部材が閉塞状態に対し所定角度回転する（外枠部材に対しても所定角度を成している）と共に外枠部材の幅方向一端に至ると、浴室出入口が最も開放された状態（開放状態）になる。このとき、扉本体は、従来の折戸のように折り重ねられることなく、且つ外枠部材と直交しているので、浴室出入口の有効開口幅を広くとることができる。しかも、扉本体を閉塞状態から開放状態へと移動させるときに、扉本体の（軸部材による）回転と（軸移動部材）による移動の２つの動作を組み合わせているので、扉本体が浴室内に入り込む移動領域が少なくなる。このため、浴室内のスペース効率も高くなる。
【００１２】
請求項３に記載の発明では、請求項２に記載の発明において、前記扉本体が前記閉塞状態から前記回転軸周りに所定角度回転した回転済状態では前記軸移動部材による前記軸部材の移動を許容し、回転済状態以外の非回転済状態では移動不能にロックするロック手段、を有する。
【００１３】
すなわち、扉本体が回転軸周りに所定角度回転していない非回転済状態（浴室出入口を閉塞している閉塞状態も含む）では、軸部材の移動がロック手段によりロックされており、不用意に移動しない。そして、扉本体を回転軸周りに所定角度回転させて回転済状態としたときに、ロック手段は軸部材の移動を許容し、軸部材は軸移動部材によって、外枠部材の幅方向一端側へ移動可能となる。このように、ロック手段によって軸部材の移動をロックすることで、扉本体が回転済状態に至っていない段階（中途半端に回転した状態）での移動を阻止でき、浴室出入口を開放する動作をより確実に行えるようになる。
【００１４】
請求項４に記載の発明では、請求項３に記載の発明において、前記所定角度が９０度とされる。
【００１５】
浴室では、周囲の壁が互いに９０度の角度をなすように配置されることが多い。したがって、扉本体が９０度回転したときには軸部材すなわち扉本体を移動可能とすることで、扉本体を特定の壁と平行にした状態で移動させることができる。
【００１６】
請求項５に記載の発明では、請求項２〜請求項４に記載の発明において、前記軸移動部材が、前記外枠部材に形成され前記軸部材を収容して外枠部材に対し軸部材をスライド可能とする外枠長孔である。
【００１７】
外枠部材に外枠長孔を形成するだけの簡単な構造で、軸移動部材を構成できる。しかも、軸部材は外枠長孔に収容されるので、外枠部材からの軸部材の脱落等を防止できる。
【００１８】
請求項６に記載の発明では、請求項２〜請求項５のいずれか１項に記載の発明において、前記扉本体が前記閉塞状態から前記回転軸周りに回転した状態で、前記扉本体を前記軸部材に対し浴室の内部へ移動させる。
【００１９】
したがって、扉移動部材により、扉本体を軸部材に対し浴室の内部へ移動させることで、扉部材の浴室外への突出部分を少なくする（好ましくは無くす）ことができるようになる。なお、扉本体の軸部材に対する浴室内部への移動は、扉本体が回転済状態に至った場合だけでなく、非回転済状態で行うことも可能である。
【００２０】
請求項７に記載の発明では、請求項５に記載の発明において、前記扉移動部材が、前記扉本体に形成され前記軸部材を収容して軸部材に対し扉本体をスライド可能とする扉長孔である。
【００２１】
扉部材に扉長孔を形成するだけの簡単な構造で、扉移動部材を構成できる。しかも、軸部材は扉長孔に収容されるので、扉部材からの軸部材の脱落等を防止できる。
【００２２】
請求項８に記載の発明では、請求項２〜請求項７のいずれか１項に記載の浴室用扉構造と、前記浴室用扉構造を構成する外枠部材が取り付けられた浴室本体と、を有する。
【００２３】
したがって、浴室用扉構造の外枠部材で構成された浴室出入り口により、浴室本体へ出入りできる。そして、請求項１〜請求項５のいずれか１項に記載の浴室用扉構造を備えているので、浴室出入口の有効開口幅を広くとることができ、浴室内のスペース効率も高くなる。
【００２４】
なお、本発明の浴室用扉構造及び浴室構造における「浴室」には、一般的な住宅に備えられる浴室、すなわち、ユニットバス（トイレ付きでもよい）やタイル張り、コンクリート打ち、木質部材（檜など）で構成されたもの、さらには、公衆浴場等の大型の浴室が含まれるのはもちろんであるが、これに加えて、たとえば、シャワー用のスペース等の洗い場のみを備えた（浴槽は有さない）簡易な箱状のものも含まれる。形状についても、直方体状のものに限定されず、たとえば、多角形の底面を有する柱状（筒状）のものであってもよい。
【発明の効果】
【００２５】
本発明は上記構成としたので、仕切部材で仕切られていた空間を行き来する場合の通路の有効開口幅を広くとることができると共に、スペース効率の高い仕切部材構造と、浴室出入口の有効開口幅を広くとることができ、浴室内のスペース効率も高い浴室用扉構造が得られる。
【図面の簡単な説明】
【００２６】
【図１】本発明の第１実施形態の浴室用扉構造が適用された浴室ユニットを概略的に示す斜視図である。
【図２】本発明の第１実施形態の浴室用扉構造を扉本体の開放動作の途中の状態で示す斜視図である。
【図３】本発明の第１実施形態の浴室用扉構造を浴室出入口が開放された開放状態で示す斜視図である。
【図４】本発明の第１実施形態の浴室用扉構造において浴室出入口を開放するときの扉本体の動作を（Ａ）〜（Ｅ）へと順に示す説明図である。
【図５】本発明の第１実施形態において扉本体の閉塞状態にあるときのロック手段を（Ａ）は平面視、（Ｂ）は側面視でそれぞれ示す説明図である。
【図６】本発明の第１実施形態において扉本体が９０度回転した回転済状態にあるときのロック手段を平面視で示す説明図である。
【図７】第１比較例の浴室用扉構造を平面視で示す説明図であり、（Ａ）は閉塞状態、（Ｂ）は開放状態である。
【図８】第２比較例の浴室用扉構造を平面視で示す説明図であり、（Ａ）は閉塞状態、（Ｂ）は開放状態である。
【図９】本発明の第１実施形態の変形例の浴室用扉構造において浴室出入口を開放するときの扉本体の動作を（Ａ）〜（Ｃ）へと順に示す説明図である。
【図１０】本発明の第２実施形態の浴室用扉構造を浴室出入口が閉塞された閉塞状態で示す斜視図である。
【図１１】本発明の第２実施形態の浴室用扉構造において浴室出入口を開放するときの扉本体の動作を（Ａ）〜（Ｃ）へと順に示す説明図である。
【発明を実施するための形態】
【００２７】
図１には、本発明の第１実施形態の浴室用扉構造２２が適用された浴室ユニット１２が示されている。また、図２及び図３には、この浴室用扉構造２２が示されている。以下の各実施形態は、本発明の仕切部材構造を、特に浴室用扉構造２２として用いた例である。
【００２８】
浴室ユニット１２は、洗い場部１４と、浴槽部１６を備え、さらに、これら洗い場部１４と浴槽部１６とに一体成形された壁状のエプロン部を有しており、本実施形態では、本発明に係る浴室本体となっている。
【００２９】
本発明の浴室構造１０は、浴室ユニット１２の周囲に、側壁１１が設けられ、さらに上方に天井（図示省略）が設けられることで構成されており、その内部が浴室となっている。なお、以下において、浴室ユニット１２の幅方向、奥行き方向及び高さ方向を、それぞれ矢印Ｗ、矢印Ｄ及び矢印Ｈでそれぞれ示すこととする。この浴室ユニット１２の幅方向は、後述するように、外枠部材２４の幅方向と一致している。
【００３０】
洗い場部１４は、略平板状に形成されており、入浴者の洗い場となる。そして、浴室本体である浴室ユニット１２の洗い場部１４に、外枠部材２４が取り付けられている。外枠部材２４は、浴室の外部から洗い場部１４に出入りするための浴室出入口２０の外枠を構成している。
【００３１】
外枠部材２４は、上枠２４Ｔ、下枠２４Ｂ、右枠２４Ｒ及び左枠２４Ｌを有する長方形の枠状に形成されており、本実施形態では、左枠２４Ｌが、浴室構造１０の側壁１１のうち、特に、洗い場部１４において浴槽部１６の反対側に位置する側壁１１Ｓに沿って配置されている。なお、外枠部材２４の右枠２４Ｒが本発明における外枠部材の幅方向一端であり、左枠２４Ｌが本発明における外枠部材の幅方向他端である。同様に、扉本体２６によって浴室出入口２０を閉塞した状態（以下、「閉塞状態」という）における、右枠２４Ｒに近い側が扉本体２６の幅方向一端であり、左枠２４Ｌに近い側が扉本体２６の幅方向他端である。
【００３２】
図４（Ａ）にも詳細に示すように、外枠部材２４の内側に構成される浴室出入口２０は、１枚の板状の扉本体２６（本発明の仕切部材構造における仕切部材本体）よって開閉される。扉本体２６の幅方向の略中央から他端側には、平面視にて長孔状の扉長孔２８が、扉本体２６の上端から他端まで貫通するように形成されている。この扉長孔２８には、円柱状の軸部材３２が鉛直方向に沿って収容されている。軸部材３２の上部及び下部は、扉本体２６よりもそれぞれ上方及び下方に突出している。
【００３３】
さらに、外枠部材２４の上枠２４Ｔ及び下枠２４Ｂには、外枠部材２４の幅方向の略中央から一端側まで、平面視にて長孔状の外枠長孔３０が形成されている。図４（Ａ）から分かるように、外枠長孔３０と扉長孔２８とは、平面視にて、外枠部材２４の幅方向の略中央で、且つ軸部材３２の直径に相当する部分でオーバーラップするように形成されている。そして、上枠２４Ｔの外枠長孔３０には軸部材３２の上部が、下枠２４Ｂの外枠長孔３０には軸部材３２の下部がそれぞれ収容されている。したがって、本実施形態では、上枠２４Ｔ及び下枠２４Ｂが、本発明の仕切部材構造における保持部材となっているが、保持部材としては、少なくとも上枠２４Ｔが存在していればよい。
【００３４】
したがって、図１及び図４（Ａ）から分かるように、本実施形態の浴室用扉構造２２では、扉本体２６が浴室出入口２０を閉塞した閉塞状態にあるとき、外枠部材２４の幅方向略中央に軸部材３２が位置している。そして、軸部材３２の上部が上枠２４Ｔの外枠長孔３０に、下部が下枠２４Ｂの外枠長孔３０にそれぞれ収容され、さらに、軸部材３２の上下方向中間部分が扉長孔２８に収容されているので、軸部材３２は扉本体２６や外枠部材２４から不用意に抜け出たり、傾いてしまったりすることはなく、鉛直方向に延在した状態を維持できる。
【００３５】
このとき、軸部材３２は扉本体２６の回転軸ＡＸ（図２参照）となっている。すなわち、図４（Ｂ）及び（Ｃ）に示すように、軸部材３２を中心として扉本体２６を（回転軸ＡＸ周りに）回転させることができ、軸部材３２は、本発明の仕切部材構造における回転手段となっている。
【００３６】
また、このように扉本体２６が回転した状態では、図４（Ｄ）に示すように、軸部材３２を外枠長孔３０に沿って外枠部材２４の一端側に（矢印Ｍ１方向）移動させることで、扉本体２６も軸部材３２と一体的に、外枠部材２４の一端側へ移動させることができる。さらに、図４（Ｅ）に示すように、軸部材３２に対し扉本体２６を、浴室ユニット１２の内部に移動させることができる。すなわち、外枠長孔３０は、本発明の仕切部材構造における移動手段となっている。
【００３７】
なお、本実施形態では、扉本体２６が閉塞状態から９０度回転した状態で扉本体２６の回転動作は終了しており、その後は、軸部材３２を、外枠長孔３０に沿って外枠部材２４の一端側に（矢印Ｍ１方向）移動させるため、このように９０度回転した状態（図４（Ｃ）に示す状態）を「回転済状態」という。これに対し、扉本体２６の回転角度が９０度になっていない状態（閉塞状態も回転角度は０度であり、これに含まれる）は、回転済状態ではないため、「非回転済状態」という。また、図４（Ｅ）に示す状態は、扉本体２６が浴室出入口２０を完全に開放しているため「開放状態」という。
【００３８】
特に、本実施形態では、浴室ユニット１２が略直方体状に形成されているので、扉本体２６が回転済状態になる角度を９０度としているが、要するに、この角度は、浴室ユニット１２の形状や、扉本体２６が浴室出入口２０より大きく開放できる条件等で決まる。たとえば、底面が正６角形の底面を有する柱状（筒状）の浴室ユニットであれば、１２０度回転した状態を回転済状態としてもよい。
【００３９】
図５（Ａ）及び（Ｂ）に詳細に示すように、外枠部材２４の上枠２４Ｔの外枠長孔３０には、他端側において外枠長孔３０の孔幅を部分的に広げた拡幅部３０Ｗが形成されている。そして、拡幅部３０Ｗにおける上枠２４Ｔと扉本体２６の間には、ロックピン３６及びロック壁３８で構成されるロック手段３４が設けられている。ロックピン３６は、扉本体２６の上端から、上方に向かって突出されており、このロックピン３６の上端は、軸部材３２の上端よりもさらに上方に位置している。そして、図５（Ａ）及び図６から分かるように、扉本体２６の回転に伴って、回転軸ＡＸを中心として円弧状に移動する。
【００４０】
これに対し、ロック壁３８は、外枠長孔３０の拡幅部３０Ｗにおいて、上枠２４Ｔの下面から下方に向かって突出されている。ロック壁３８は平面視にて、回転軸ＡＸを中心とする円弧状に形成されている。そして、扉本体２６が閉塞状態（図１及び図４（Ａ）参照）回転済状態（図４（Ｃ）参照）に至る直前までの非回転済状態では、図５（Ａ）から分かるように、ロックピン３６よりも右枠２４Ｒ側（外枠部材２４の一端側）でロックピン３６に接触しており、ロックピン３６の矢印Ｍ１方向への移動を阻止している。しかし、扉本体２６が９０度回転された位置（図４（Ｃ）参照）に至った回転済状態では、図６から分かるように、ロックピン３６の矢印Ｍ１方向への移動を阻止しないような形状とされている。
【００４１】
なお、図５（Ｂ）から分かるように、ロック壁３８の下端は、軸部材３２の上端よりも上方に位置しており、矢印Ｍ１方向への軸部材３２の移動をロック壁３８が妨げないようになっている。
【００４２】
次に、本実施形態の浴室用扉構造２２によって浴室出入口２０を開閉する方法、及び、浴室用扉構造２２の作用を説明する。
【００４３】
浴室出入口２０を、閉塞状態（図１及び図４（Ａ）参照）から開放状態（図４（Ｅ）参照）とするには、まず、図２及び図４（Ｂ）に示すように、軸部材３２を中心として、回転軸ＡＸ周りに（矢印Ｒ１方向）に扉本体２６を９０度回転させ、回転済状態とする。但し、非回転済状態、すなわち扉本体２６が浴室出入口２０を閉塞した閉塞状態、及び、回転角度が９０度に満たない状態では、ロックピン３６がロック壁３８に接触しており、軸部材３２及び扉本体２６の矢印Ｍ１方向への移動は阻止されている。このように、ロック手段３４により、扉本体２６が９０度回転していない非回転済状態では矢印Ｍ１方向の移動を阻止することで、扉本体２６の開閉動作を確実に行うことができる。
【００４４】
図４（Ｃ）に示すように、扉本体２６が９０度回転して回転済状態になると、ロックピン３６はロック壁３８から離れるので（図６参照）、軸部材３２は外枠長孔３０に収容された状態を維持しつつ、矢印Ｍ１方向に移動可能となる。これに伴い、扉本体２６も矢印Ｍ１方向へ移動可能となる。
【００４５】
軸部材３２の移動により、軸部材３２が外枠長孔３０の一端側（本実施形態では右枠２４Ｒに近い側）に達すると、図４（Ｄ）に示すように、扉本体２６も外枠部材２４の一端側まで移動しているので、浴室出入口２０が大きく開放される。
【００４６】
その後、図４（Ｅ）に示すように、扉本体２６を浴室内に向かって移動させると、扉本体２６の全体が浴室内に入って開放状態となり、浴室の外側の空間を有効に活用できるようになる。なお、このとき、軸部材３２は外枠長孔３０の一端の位置に留まっており、扉本体２６のみが浴室内に移動する。開放状態では、実質的に、浴室出入口２０の全幅Ｗ１のうち、扉本体２６の厚みＤ１の分のみが開放されていないが、これ以外の部分は開口されている。
【００４７】
ここで、浴室出入口２０における有効開口幅ＭＳを考える。この有効開口幅とは、本実施形態では、浴室出入口２０を出入りする方向を考えたとき、浴室出入口が開放状態の扉本体２６で塞がれておらず、出入りのための通路として使用可能な部分の幅をいう。本実施形態では、この有効開口幅ＭＳが広くなっている。また、以上のような開放動作において、図４（Ｅ）に示すように、扉本体２６は浴室内で移動軌跡ＴＥで示した範囲を移動する。
【００４８】
ここで、図７には、第１比較例として、浴室出入口２０を折戸１１２により開閉する構造が示されている。また、図８には、第２比較例として、浴室出入口２０を開き戸１２２により開閉する構造が示されている。第１比較例では、浴室出入口２０を開放した状態で、折戸１１２を構成している扉板１１４が２枚重なっているので、有効開口幅ＭＳが狭くなっている。第２比較例においても、開き戸１２２の一端のヒンジ１２４を中心として開き戸１２２を浴室内に回転させるため、ヒンジ１２４の構造によっては十分に開き戸１２２を回転させることができず、有効開口幅ＭＳが狭くなる。また、開き戸１２２の移動軌跡ＴＥが広くなり、浴室内で実質的に洗い場として利用できるスペースが狭くなる。
【００４９】
これに対し、本実施形態の浴室用扉構造２２では、浴室出入口２０を開放した状態で、扉本体２６が重ならないので、有効開口幅ＭＳが広くなることが分かる。また、扉本体２６を開放させる動作における扉本体２６の移動軌跡ＴＥも、本実施形態では小さくなっているので、浴室内のスペース効率が高くなることが分かる。
【００５０】
なお、上記では、ロック手段３４によって、扉本体２６が回転済状態となったときのみ矢印Ｍ１方向の移動を許容する構成としたが、このロック手段３４を設けない構成であってもよい。ロック手段３４を設けない構成では、たとえば図８に示すように、扉本体２６を閉塞状態（図８（Ａ））から矢印Ｒ１方向に回転させながら、同時に扉本体２６を矢印Ｍ１方向へ移動させることもできる（図８（Ｂ）参照）。浴室出入口２０を開放した開放状態では、図４（Ｅ）と同様に、有効開口幅ＭＳを広くとることができる（図８（Ｃ）参照）。また、このように扉本体２６を移動させることで、扉本体２６の移動軌跡ＴＥもより狭くすることができる。しかも、このようにして扉本体２６の開放動作を行うと、扉本体２６が開放動作の途中で浴室外に出る部分（浴室外における移動軌跡）が少なくなる。
【００５１】
また、上記では、外枠部材２４に外枠長孔３０が形成され、さらに扉本体２６にも扉長孔２８が形成された例を挙げたが、たとえば、図１０に示す第２実施形態の浴室用扉構造５２のように、扉本体２６の扉長孔２８は省略した構成でもよい。
【００５２】
すなわち、第２実施形態では、外枠長孔５４が外枠部材２４の一端側から他端側に至るまで形成されており、軸部材３２は、扉本体２６が浴室出入口２０を閉塞した状態で、外枠長孔５４の他端側に位置している。なお、第２実施形態では、これ以外は第１実施形態と同一の構成とされている。
【００５３】
したがって、第２実施形態の浴室用扉構造５２では、第１実施形態の浴室用扉構造２２と同様に、閉塞状態では、図１１（Ａ）に示すように浴室出入口２０を扉本体２６が閉塞するが、浴室出入口２０を開放する動作が第１実施形態と異なる。すなわち、図１１（Ｂ）に示すように、扉本体２６の一端側を押して矢印Ｒ１方向に回転させ、この回転と同時に（あるいは回転の直後に）、扉本体２６の一端（図１１（Ｂ）における右側端部）が、常に側壁１１Ｓに沿って移動するように軸部材３２を矢印Ｍ１方向に移動させる。このように、扉本体２６の矢印Ｒ１方向への回転と矢印Ｍ１方向への移動を同時に行い、扉本体２６の回転角度が９０度に達すると共に外枠部材２４の一端側へ移動した状態で、図１１（Ｃ）に示すように、扉本体２６は開放状態となり、浴室出入口２０が開放される。
【００５４】
そして、第２実施形態の浴室用扉構造５２においても、有効開口幅ＭＳを広くとることができる。また、浴室内での扉本体２６の移動軌跡ＴＥが狭くなり、浴室内のスペース効率が高くなる。しかも第２実施形態では、扉本体２６が開放動作の途中で、浴室外に全く出ない。
【００５５】
なお、上記では、本発明の軸部材として、扉本体２６の扉長孔２８に収容された軸部材３２を挙げているが、要するに、扉本体２６を外枠部材２４に対し鉛直方向の回転軸周りに回転可能とすればよく、たとえば、外枠部材２４の上枠２４Ｔ及び下枠２４Ｂから、軸部材としてピンが突設された構造でもよい。ただし、軸部材を、外枠部材２４の一端側（扉本体２６の閉塞状態における一端側）に配置すると、扉本体２６の開放動作を行うにあたって、扉本体２６の他端側を浴室の外側に大きく回転させる必要が生じるため、たとえば扉本体２６に水滴等が付着していることを考慮すると好ましいとは言えない。また、浴室の外側のスペース効率も悪くなる。これに対し、上記実施形態のように、軸部材３２を外枠部材２４の一端側から（たとえ僅かであっても）他端側へと離れた位置に配置すると、扉本体２６が開放動作で浴室の外側に出る部分が少なくなる。
【００５６】
また、上記では、本発明の軸移動部材として、外枠長孔３０を挙げたが、軸移動部材はこれに限定されない。たとえば、軸移動部材としては、上枠２４Ｔ及び下枠２４Ｂに、軸部材３２を外枠部材２４に対しスライド可能に収容するレールや溝を設けてもよい。
【００５７】
さらに、本発明では、上記した軸部材３２等を用いない構成も可能である。たとえば、本発明の移動手段として、上枠２４Ｔ及び下枠２４Ｂの少なくとも一方と扉本体２６との間に、無端状の帯状体（いわゆるクローラ状のもの）を介在させ、この帯状体の循環によって扉本体２６が外枠部材２４に対し移動する構造でもよい。この構造では、扉本体２６の回転角度が所定角度に達したときに、帯状体が上枠２４Ｔ又は下枠２４Ｂと扉本体２６に接触して、扉本体２６が移動する構成とすればよい。
【００５８】
また、本発明の移動手段として、上枠２４Ｔ及び下枠２４Ｂの少なくとも一方に対し、磁石の磁力等を用いて扉本体２６を脱落不能に保持した上で、スライド（矢印Ｍ１方向への移動）を可能とする構造でもよい。この構造においても、扉本体２６の回転角度が所定角度に達するまでは、そのスライドをロックする機構を設ければよい。
【００５９】
さらに、軸部材３２としては、扉本体２６の上端から下端まで連続している必要はなく、扉本体２６の上端部分及び下端部分にのみ設けられる（中間部分は存在しない）ように分割された構造でもよい。扉移動部材としても、上記の扉長孔２８に限定されない。たとえば、軸部材３２を上下に分割した構造では、この軸部材３２を扉本体２６に対しスライド可能に収容するレールや溝を設けてもよい。
【００６０】
加えて、上記では、いわゆるユニットタイプの浴室本体に、本発明の浴室用扉構造を適用して浴室構造を構成した例を挙げたが、ユニットタイプではない浴室本体（たとえば、タイル張り、コンクリート打ち、木質部材製など）に、本発明の浴室用扉構造を適用し浴室構造を構成してもよい。
【００６１】
特に上記では、本発明の仕切部材構造を、浴室ユニットに用いて浴室用扉構造２２（さらに、浴室構造１０）とした例を挙げている。これは、本発明の仕切部材構造が、特に、浴室用扉構造として適用された場合に、本発明の効果が顕著となるためであり、仕切部材構造の適用対象はこれに限られない。たとえば、建物内の任意の空間（たとえば会議室、集会場、式場、宴会場など）を仕切部材本体によって仕切る場合に、本発明の仕切部材構造を適用できる。このように建物内の空間を仕切部材本体で仕切る構造では、複数の仕切部材本体を有する構成としてもよい。
【００６２】
この場合、仕切部材本体が空間を仕切っている状態で、仕切部材本体の幅が、空間を仕切っている幅（空間仕切幅）になる。そして、仕切部材が回転及び移動して仕切りが解除されたときに、仕切部材本体が当初において空間を仕切っていた空間仕切幅が、実際にどの程度開口されているか、によって有効開口幅が決められる。
【符号の説明】
【００６３】
１０  浴室構造
１２  浴室ユニット
２０  浴室出入口
２２  浴室用扉構造
２４  外枠部材
２６  扉本体
２８  扉長孔（扉移動部材）
３０  外枠長孔（軸移動部材）
３２  軸部材
３４  ロック手段
３６  ロックピン
３８  ロック壁
５２  浴室用扉構造
５４  外枠長孔
ＡＸ  回転軸
ＭＳ  有効開口幅
ＴＥ  移動軌跡
【図１】
2011089279.tif 000003
【図２】
2011089279.tif 000004
【図３】
2011089279.tif 000005
【図４】
2011089279.tif 000006
【図５】
2011089279.tif 000007
【図６】
2011089279.tif 000008
【図７】
2011089279.tif 000009
【図８】
2011089279.tif 000010
【図９】
2011089279.tif 000011
【図１０】
2011089279.tif 000012
【図１１】
2011089279.tif 000013